(57)【要約】【課題】バッテリーの寿命が近づいたことを報知し、バッテリーの交換を促すことができるようにした情報処理装置を提供する。【解決手段】実施形態は、バッテリーを内蔵した情報処理装置であって、バッテリーに設定された通電時間の閾値を示す閾値情報と、バッテリーへの通電時間を累積して累積時間の情報を取得し、閾値情報と累積時間の情報を比較してバッテリーの寿命が近づいたことを判断する判断部と、判断部の判断結果をもとに、バッテリーの寿命が近づいたことを報知する報知部と、を備える。【選択図】図１
2013254426.tif 000002
【特許請求の範囲】
【請求項１】
バッテリーを内蔵した情報処理装置であって、
前記バッテリーに設定された通電時間の閾値を示す閾値情報と、前記バッテリーへの通電時間を累積して累積時間の情報を取得し、前記閾値情報と前記累積時間の情報を比較して前記バッテリーの寿命が近づいたことを判断する判断部と、
前記判断部の判断結果をもとに、前記バッテリーの寿命が近づいたことを報知する報知部と、
を備える情報処理装置。
【請求項２】
前記報知部は、表示部、及び前記情報処理装置に接続されたプリンタの少なくとも一方を含み、前記バッテリーの寿命が近づいたときに前記表示部に警告画面を表示し、前記プリンタにて警告文を印字する請求項1記載の情報処理装置。
【請求項３】
前記報知部は、前記情報処理装置にネットワークを介して接続されたコンタクトセンターの情報処理端末に前記警告画面を表示可能にした請求項１記載の情報処理装置。
【請求項４】
前記情報処理装置は、通常は商用交流電源によって駆動し、前記商用交流電源からの電源供給が停止した場合は、前記バッテリーによる駆動に切り替わるものであって、前記バッテリーへの通電時間は、前記商用交流電源による稼働時間を測定する請求項1記載の情報処理装置。
【請求項５】
前記判断部は、予め設定したタイミングで前記累積時間の情報を取得する請求項1記載の情報処理装置。
【請求項６】
バッテリーを内蔵した情報処理装置のバッテリーの寿命を検知する検知プログラムであって、コンピュータに、
前記バッテリーに設定された通電時間の閾値を示す閾値情報と、前記バッテリーへの通電時間を累積して累積時間の情報を取得する情報取得機能と、
前記閾値情報と前記累積時間の情報を比較して前記バッテリーの寿命が近づいたことを判断する判断機能と、
前記判断の結果をもとに、前記バッテリーの寿命が近づいたことを報知する報知機能と、を実現させるためのバッテリー寿命検知プログラム。
【発明の詳細な説明】
【技術分野】
【０００１】
本発明の実施形態は、バッテリー寿命を検知して報知する販売時点情報管理装置等の情報処理装置及びバッテリー寿命検知プログラムに関する。
【背景技術】
【０００２】
従来、ファミリーレストランなどの飲食店においては、ＰＯＳ（Point of Sales）ターミナルと呼ばれる販売時点情報管理装置やオーダーエントリシステム（ＯＥＳ）用の機器が使用されており、顧客の注文を速やかに処理できるようにしている。
【０００３】
例えば、飲食店用のオーダーエントリシステムでは、ＰＯＳターミナルのほかに、厨房に設置されたキッチンディスプレイやキッチンプリンタ、テーブル単位のオーダー情報を管理するオーダーステーション、接客係が携帯するハンディターミナルと無線通信する無線アクセスポイント、等の機器が内部データ通信回線網（例えばＬＡＮ：Local Area Network）を介して接続されている。
【０００４】
ところで、ＰＯＳターミナル等の情報処理装置では、小型で大容量のバッテリーが内蔵されており、通常は商用交流電源にて動作するが、停電や、誤って電源コンセントが抜かれたような場合に、バッテリーから電源を供給してバッテリー駆動し、ファイルデータの内容が消えたりしないようにしている。またバッテリーの電圧が低下したことを検知して表示するようにしている。
【０００５】
しかしながら、バッテリーが寿命に近づいたときに、寿命を検知することはできなかった。バッテリー寿命が近づいてもそのまま使用していると、例えば停電が発生した場合にバッテリー駆動ができなくなり、ＰＯＳターミナルやオーダーステーションのファイルデータが消えたり、破壊されるといった動作異常や障害を招くことがある。またバッテリー寿命については、導入日時を管理しておき、製造メーカが定義した保障期間にて交換することが本来必要であるが、現時点では運用ができていないのが実情である。
【０００６】
特許文献１には、オーダリングシステムにおいて、バッテリーの残量低下を検出して通知する例が開示されているが、バッテリーの寿命を知らせるものではない。
【先行技術文献】
【特許文献】
【０００７】
【特許文献１】特開２００４−３６２４９３号公報
【発明の概要】
【発明が解決しようとする課題】
【０００８】
発明が解決しようとする課題は、バッテリーを内蔵した情報処理装置において、バッテリーの寿命が近づいたことを報知し、バッテリーの交換を促すことができるようにした情報処理装置を提供することにある。
【課題を解決するための手段】
【０００９】
実施形態の情報処理装置は、バッテリーを内蔵した情報処理装置であって、前記バッテリーに設定された通電時間の閾値を示す閾値情報と、前記バッテリーへの通電時間を累積して累積時間の情報を取得し、前記閾値情報と前記累積時間の情報を比較して前記バッテリーの寿命が近づいたことを判断する判断部と、前記判断部の判断結果をもとに、前記バッテリーの寿命が近づいたことを報知する報知部と、を備える。
【図面の簡単な説明】
【００１０】
【図１】一実施形態に係るオーダーエントリシステムを示すシステム構成図。
【図２】一実施形態に係るＰＯＳターミナルの構成を示すブロック図。
【図３】一実施形態に係るオーダーステーションの構成を示すブロック図。
【図４】一実施形態におけるバッテリーの寿命を知らせる警告画面の一例を示す説明図。
【図５】一実施形態におけるバッテリーの寿命を知らせる警告文の一例を示す説明図。
【図６】一実施形態におけるバッテリーの寿命を知らせる警告文の他の例を示す説明図。
【発明を実施するための形態】
【００１１】
以下、発明を実施するための実施形態について、図面を参照して説明する。尚、各図において同一箇所については同一の符号を付す。
【００１２】
（第１の実施形態）
図１は、一実施形態に係るオーダーエントリシステム（ＯＥＳ）の全体的な構成を示すシステム構成図である。尚、図１ではファミリーレストランのような飲食店におけるオーダーエントリシステムを例にして説明する。
【００１３】
オーダーエントリシステム１００は、マスター機であるＰＯＳターミナル１０と、サテライト機であるＰＯＳターミナル４０が内部データ通信回線網（ＬＡＮ）１０２に接続されている。ＰＯＳターミナル１０は、販売時点情報管理装置であり、管理部１０１に含まれている。ＬＡＮ１０２には、厨房に設置されるキッチンプリンタ５１、厨房に設置されるキッチンディスプレイ５２、テーブル単位のオーダー情報を管理するオーダーステーション５３、天井等に設置される無線アクセスポイント５４がそれぞれ接続されている。無線アクセスポイント５４は、接客係が携帯するハンディターミナル５５と無線通信が可能である。
【００１４】
また、ＰＯＳターミナル１０は、コンタクトセンター２００の端末装置２０１とインターネット２０２を介して接続されており、コンタクトセンター２００からの指示を受信したり、コンタクトセンター２００に各種の情報を送ることができる。
【００１５】
尚、図１では便宜上、サテライト機であるＰＯＳターミナル４０や、情報処理端末であるキッチンプリンタ５１、キッチンディスプレイ５２、オーダーステーション５３、無線アクセスポイント５４、ハンディターミナル５５をそれぞれ１台ずつ配置した例を示しているが、これらの機器は複数台ずつ備えてもよい。
【００１６】
ＰＯＳターミナル１０を含む管理部１０１は、プリンタ３０を有している。尚、ＰＯＳターミナル１０としては、プリンタと一体のものもある。またＰＯＳターミナル１０には、ドロワ、キーボード等を接続可能であるが、図１では、図示を省略している。
【００１７】
ハンディターミナル５５は、接客係がテーブルコードと対応付けてメニューコード及びその数量等の注文情報を入力するものである。ハンディターミナル５５に入力された注文情報は、無線通信により無線アクセスポイント５４に送信され、無線アクセスポイント５４からオーダーステーション５３に通知される。
【００１８】
オーダーステーション５３は、ハンディターミナル５５から無線送信された注文情報を管理する。またオーダーステーション５３は、受信した注文情報をキッチンディスプレイ５２、キッチンプリンタ５１、ＰＯＳ端末１０，４０に送信する。キッチンディスプレイ５２は、受信した注文情報等を表示する。キッチンプリンタ５１は、受信した注文情報に応じた内容の伝票を印字発行し、注文されたメニュー品目を厨房の調理担当者に提示する。ＰＯＳ端末１０，４０は、顧客との間での注文情報に基づく会計処理などの販売データの処理を行う。
【００１９】
マスター機であるＰＯＳターミナル１０は、現金等を収納するドロワの上に載置されており、このドロワの開閉を制御する。 また、ＰＯＳターミナル１０は、タッチパネル式のディスプレイ２３（以下、タッチパネル２３と呼ぶ）と、客用の表示器２４等を備えている。また、ＰＯＳターミナル１０は、プリンタ３０に接続しており、プリンタ３０は、レシート発行口３１を有する。
【００２０】
タッチパネル２３は、数値データを置数する置数キーのほかに各種のキーを表示し、売上登録処理された商品の商品名、販売点数及び販売金額や、合計金額、預かり金額、釣り銭金額などを表示するＧＵＩ（Graphical User Interface）として機能する。客用表示器２４にも同様に、売上登録処理された商品の商品名、販売点数及び販売金額や、合計金額、預かり金額、釣り銭金額などが表示される。
【００２１】
またタッチパネル２３には、モードスイッチが表示される。モードスイッチは、「登録」、「点検」、「精算」、「設定」等の各種業務モードを選択的に切換える。「登録」モードでは、商品の販売データを記憶部に売上登録する。「点検」モードでは、「登録」によって記憶部に売上登録された販売データの累計データを点検レポートとして出力する。「精算」モードでは、「点検」と同様に記憶部の累計データを精算レポートとして出力する。「設定」モードでは、各種業務を実行するのに必要なデータを記憶部に予め設定する。
【００２２】
プリンタ３０は、１取引の明細をレシート用紙に印字する。プリンタ３０によって印字されたレシート用紙は、レシート発行口３１から出力される。またＰＯＳターミナル１０には、キーボード（図示せず）を接続することもできる。
【００２３】
図２は、ＰＯＳターミナル１０の構成を示すブロック図である。ＰＯＳターミナル１０は、コンピュータを構成するものであり、図２に示すように、中央処理装置（ＣＰＵ）１１を含む。ＣＰＵ１１は、ＰＯＳターミナル１０の制御部を構成し、データバス等のバスライン１２に接続されている。バスライン１２には、ＣＰＵ１１を制御するコンピュータプログラムなど固定データを格納するＲＯＭ（Read Only Memory）１３と、各種データを格納しワークエリアとして機能し、商品販売データを売上登録処理するＲＡＭ１４（Random Access Memory）が接続されている。
【００２４】
またバスライン１２には、日時を計時する計時回路１５、通信部を構成する通信インターフェース１６、Ｉ／Ｏポート１７、タッチパネルコントローラ１８、表示器コントローラ１９、プリンタコントローラ２０及びキーボードコントローラ２１が接続されている。
【００２５】
ＣＰＵ１１は、時計回路１５が計時した日時を確認し、計時された日時を、レシート用紙などに印字するよう制御する。またＣＰＵ１１は、通信インターフェース１７を制御し、ＬＡＮ１０２を介して接続された各機器（図１）とデータ通信を行う。またＣＰＵ１１は、Ｉ／Ｏポート１７を介してドロワ開放装置２３に駆動信号を出力し、ドロワ開放装置２３に接続されるドロワ（図示せず）を自動開放するように制御する。 
またＣＰＵ１１は、タッチパネルコントローラ１８に対して表示命令を出し、タッチパネル２３に登録画面等を表示させる。またタッチパネル２３が操作されたときに画面上の位置信号を取り込むよう、タッチパネルコントローラ１８を制御する。またＣＰＵ１１は、表示器コントローラ１９に対して客用表示器２４の画面表示を行うよう指示する。
【００２６】
さらに、ＣＰＵ１１は、プリンタコントローラ２０に対し、プリンタ３０を制御させるように指示し、印字データに対応する文字等をレシート用紙及びジャーナル用紙に印字させるよう命令する。またＰＯＳターミナル１０にキーボード２５が接続されたとき、ＣＰＵ１１は、キーボードコントローラ２１を制御し、操作入力されたキーに対応するキー信号を取込むよう指示する。ＰＯＳターミナル４０もＰＯＳターミナル１０と同様の構成を有している。
【００２７】
図３は、オーダーステーション５３の構成を示すブロック図である。オーダーステーション５３は、コンピュータを構成するものであり、各部を制御する中央制御装置（ＣＰＵ）６１を有する。ＣＰＵ６１にはバスライン６２が接続され、バスライン６２には、制御プログラム等の固定的情報を予め記憶するＲＯＭ６３と、各種情報を書き換え自在に記憶してワークエリア等として機能するＲＡＭ６４が接続されている。
【００２８】
またバスライン６２には、フラッシュメモリ６５、通信インターフェース（Ｉ／Ｆ）６６、表示／キーボードコントローラ６７が接続されている。フラッシュメモリ６５は、注文情報を記憶する。フラッシュメモリ６５以外に、ＨＤＤ（ハードディスク）等の各種の記憶媒体を採用することもできる。通信インターフェース６６は、オーダーステーション５３と他の機器（ＰＯＳターミナル１０，４０、キッチンプリンタ５１、キッチンディスプレイ５２、及び無線アクセスポイント５４）との間で通信を行うものである。表示／キーボードコントローラ６７は、画像データに基づいてＬＣＤ等の表示部６８を駆動制御し、画像データに応じた画像を表示部６８に表示する。また、キーボード６９からの入力信号をＣＰＵ６１に取り込む。
【００２９】
以下、バッテリーを内蔵した情報処理装置（例えばＰＯＳターミナル１０及びオーダーステーション５３）におけるバッテリー寿命の検知について説明する。
【００３０】
オーダーエントリシステム１００を飲食店に設けた場合、ＰＯＳターミナル１０のほかに、サテライト機であるＰＯＳターミナル４０や、オーダーステーション５３等の情報処理装置はバッテリーを内蔵しており、通常は商用交流電源によって駆動するが、例えば停電（瞬停を含む）の発生や、誤ってコンセントが抜かれた場合等、商用交流電源からの電源供給が停止した場合は、バッテリー駆動に切り替わる。
【００３１】
しかしながら、バッテリー寿命が近づいている場合に、それを知らずに使用を続けていると、停電などが発生したときに情報処理装置が異常動作をして障害を発生する。したがって、バッテリー寿命を検知して事前に報知してバッテリー交換を促すことにより、障害を未然に防ぐことが本実施形態の主旨である。
【００３２】
バッテリーを内蔵した情報処理装置として、ＰＯＳターミナル１０及びオーダーステーション５３を代表にして、バッテリー寿命の検知動作を具体的に説明する。
【００３３】
ＰＯＳターミナル１０では、バッテリー寿命を検知した場合、表示と印字を行いオペレータ（店舗スタッフ）へ報知する。表示はタッチパネル２３に行い、印字はプリンタ３０にて行う。またオーダーステーション５３では、バッテリー寿命を検知した場合、キッチンプリンタ５１を利用して印字を行い、オペレータに報知する。
【００３４】
ＰＯＳターミナル１０でのバッテリー寿命の検知は、ＲＯＭ１３に格納されたプログラムに従って、ＣＰＵ１１の制御のもとにＲＡＭ１４等を使用して行う。またオーダーステーション５３でのバッテリー寿命の検知は、ＲＯＭ６３に格納されたプログラムに従って、ＣＰＵ６１の制御のもとにＲＡＭ６４等を使用して行われる。
【００３５】
例えば、ＰＯＳターミナル１０では、自身が保有するミドルウェアから提供されるアプリケーションを使用して、ＰＯＳターミナル１０のバッテリーに予め設定された通電時間の閾値を示す閾値情報と、バッテリーへの通電時間を累積して累積時間の情報を取得する。累積時間は、ＰＯＳターミナル１０の電源がオンして実際に稼働したトータル時間（商用交流電源による稼働時間を測定し、それを累積した時間）である。そして、閾値情報と累積時間の情報とを比較し、累積時間が閾値を越えたときにバッテリーの寿命が近づいていることを報知し、交換時期であることをポップアップ表示し、かつプリンタ３０を用いて印字を行う。
【００３６】
即ち、ミドルウェアは、オペレイティングシステム（ＯＳ）とアプリケーションの中間に位置し、ＯＳよりも高度で具体的な機能をアプリケーションに提供するソフトウェアであり、アプリケーションでは、バッテリーに予め設定された閾値情報と、バッテリーへの通電時間を累積して累積時間の情報を取得する。またＡＰＩ（Application Programming Interface）を使用して閾値情報と累積時間の情報を読出し、閾値情報と累積時間の情報を比較して、累積時間が閾値を越えたときにバッテリーの寿命が近づいたと判断する。上記判断は、ＲＯＭ１３のプログラムに基づいてＣＰＵ１１が行う。したがって、ＣＰＵ１１は、判断部を構成する。
【００３７】
累積時間のチェックは、予め設定したタイミング、例えば１日の営業を開始したとき（開局時）に行う。それぞれのチェック時において取得した通電時間を累計して履歴に残すことにより、累積時間の情報を得ることができる。
【００３８】
またバッテリーの寿命が近づいたことを報知するため、ＰＯＳターミナル１０ではタッチパネル２３に警告画面を表示し、プリンタ３０にて警告文を印字する。  したがって、ＰＯＳターミナル１０のタッチパネル２３、及び通信インターフェース１６は報知部を構成する。
【００３９】
図４は、ＰＯＳターミナル１０のタッチパネル２３にバッテリー寿命が近づいたことを知らせる警告表示画面の一例を示す説明図である。図４では、バッテリー警告と題して、「ＰＯＳバッテリーの交換時期です。サービス担当へご連絡下さい」というメッセージ７１を表示した例を示している。また「印字を行う場合は［確認］、行わない場合は［直前訂正］を押して下さい」というメッセージ７２を表示する。確認ボタン７３が押されるとプリンタ３０に対して印字処理を要求し、印字を行う。直前訂正ボタン７４が押されると印字は行われない。また警告を意味するため、表示画面は警告色（例えば黄色）のダイアログを使用するとよい。
【００４０】
図５は、プリンタ３０によって印字された警告文の一例を示す。図５では、レシート７５に、例えば「ＰＯＳバッテリーの交換時期です。サービス担当へご連絡下さい」といったメッセージ７６が印字される。
【００４１】
尚、タッチパネル２３に表示しただけでは、オペレータが気づかない可能性があるので、ポップアップ表示するとよい。また印字出力する際にもオペレータに気づかせるよう目立つように印字するとよい。
【００４２】
一方、オーダーステーション５３では、自身が保有するミドルウェアから提供されるアプリケーションを使用して、オーダーステーション５３のバッテリーに予め設定された通電時間の閾値を示す閾値情報と、バッテリーへの通電時間を累積して累積時間の情報を取得する。またＡＰＩ（Application Programming Interface）を使用して閾値情報と累積時間の情報を読出す。そして、閾値情報と累積時間の情報とを比較して、累積時間が閾値を越えたときにバッテリーの寿命が近づいたと判断する。上記判断は、ＲＯＭ６３のプログラムに基づいてＣＰＵ６１が行う。したがって、ＣＰＵ６１は、判断部を構成する。
【００４３】
またバッテリーの寿命が近づいたことを報知するため、キッチンプリンタ５１に印字要求を出して警告文を印字する。警告文は、バッテリーの交換時期であることを示す固定フォーマットの文を出力する。したがって、オーダーステーション５３において、キッチンプリンタ５１と通信を行う通信インターフェース６６は報知部を構成する。
【００４４】
バッテリー通電時間のチェックは、１日に一回（例えば前述の開局時に）行う。それぞれのチェック時において取得した通電時間を累計して履歴に残すことにより、累積時間の情報を得ることができる。
【００４５】
もし累積時間が閾値を越えている場合は、キッチンプリンタ５１に通知し、キッチンプリンタ５１にて固定フォーマットの警告文を印字出力する。尚、複数のキッチンプリンタがある場合は、オーダーステーション５３が設定した１台を選択して印字出力を行う。また、キッチンプリンタ（ＫＣＰ）以外に顧客用のカスタマーチェックプリンタ（ＣＣＰ）が使用されることがある。ＣＣＰもＫＣＰと同じ機能を有するプリンタであるため、ＫＣＰとＣＣＰが複数台ある場合は、オーダーステーション５３が設定した１台を選択して印字出力するとよい。但し、オーダーステーション５３が未設定の場合は、複数台のうち先頭のプリンタを選択して印字する。
【００４６】
尚、警告文の印字出力は、キッチンプリンタ５１が起動中でないと印字できないため、バッテリーの通電時間のチェックは、キッチンプリンタ５１からオーダーステーション５３に対して起動したことを知らせる伝文通知があったときをトリガーとして行うのがよい。
【００４７】
図６は、キッチンプリンタ５１によって印字された警告文の一例を示す。図６では、シート７７に、例えば「ＳＴＮバッテリーの交換時期です。サービス担当へご連絡下さい」といったメッセージ７８が印字される（ＳＴＮは、ステーションを意味する）。
【００４８】
尚、バッテリー寿命の予測は、バッテリーの導入日時を管理しておき、メーカが定義した保障期間（例えば〇年、〇ヶ月、○○○○時間などで設定される閾値）に達したことを予測するものであり、バッテリー低下の予測（残量予測）とは異なる。また累積時間の情報は、バッテリーを交換したときにリセットされ、新たに通電時間がカウントされる。
【００４９】
またバッテリーが寿命に近づいても即座に使用不能になる訳ではないため、バッテリー寿命の検知、即ち累積時間の情報と閾値情報の読出しと比較は、例えば開局時等、１日に一回程度行えばよい。
【００５０】
例えばＰＯＳターミナル１０においては、タッチパネル２３に開局画面を表示し、［開局実行］ボタンの押下時に、ＡＰＩを使用して累積時間の情報と閾値情報を取得し、累積時間が、閾値を超えている場合は、バッテリー交換時期であることを示すデータのログ（log）のへ書き込み処理を行う。さらに、バッテリー交換時期であることを示すポップアップ画面の表示処理や、警告文の印字処理を実行する。尚、上記の処理は、開局処理の一番最後に行い、カスタマーエンジニアが入店してバッテリーを交換し、累積時間をリセットするまでは、毎回の開局時に実行される。またオーダーステーション５３においても、１日一回程度（例えば開局時）にバッテリー寿命のチェックを行えばよい。
【００５１】
さらに、バッテリーの寿命が近づき、交換時期を示す警告は、インターネット２０２を介してＰＯＳターミナル１０からコンタクトセンター２００へ通知され、端末装置２０１に表示することもできる。コンタクトセンター２００は、例えば補修サービスを行うセンターであり、コンタクトセンター２００においても、バッテリーの交換時期を管理・確認することができる。
【００５２】
以上説明した実施形態によれば、ＰＯＳターミナル１０又はオーダーステーション５３のバッテリーが寿命に近づいたときに、画面に警告表示したり、シートに印字することでオペレータ（店舗スタッフ）に報知することができ、オペレータにバッテリーの交換を促すことができる。
【００５３】
尚、以上の説明においては、ＰＯＳターミナルやオーダーステーションのバッテリー寿命の検知について説明したが、バッテリーを内蔵し通電時間を管理できる機器であれば、他の用途の情報処理装置にも適用することができる。また飲食店での使用例について説明したが、スーパーマーケットや百貨店等の販売店において使用することもできる。
【００５４】
またタッチパネル２３にタッチすることで各種のアイテムを選択する例を説明したが、マウスやキーボードの操作により表示画面上のアイテムを選択するようにしても良い。また警告表示や印字出力の文例も図４〜図６に示す例に捉われず、他の表示形態や印字出力形態であっても良い。
【００５５】
尚、本発明のいくつかの実施形態を述べたが、これらの実施形態は、例として提示したものであり、発明の範囲を限定することは意図していない。これらの実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００５６】
１００…オーターエントリシステム
１０１…管理部
１０２…ＬＡＮ（ネットワーク）
２００…コンタクトセンター
２０１…端末装置
２０２…インターネット
１０…ＰＯＳターミナル（マスター機）
１１、６１…ＣＰＵ（判断部）
１２、６２…バスライン
１３、６３…ＲＯＭ
１４、６４…ＲＡＭ
１５…時計回路
１６、６６…通信インターフェース（Ｉ／Ｆ）
１８…タッチパネルコントローラ
２３…タッチパネル
３０…プリンタ
４０…ＰＯＳターミナル（サテライト機）
５１…キッチンプリンタ
５２…キッチンディスプレイ
５３…オーダーステーション
５４…無線アクセスポイント
５５…ハンディターミナル
【図１】
2013254426.tif 000003
【図２】
2013254426.tif 000004
【図３】
2013254426.tif 000005
【図４】
2013254426.tif 000006
【図５】
2013254426.tif 000007
【図６】
2013254426.tif 000008